(57)【要約】【課題】動力源室側のエンクローズ機能を強化して低騒音化を図ると同時に、各室を送風機により独立して冷却可能とし、かつ動力源室側の送風機が異常時にも各動力源を空冷して運転を継続できる輸送用冷凍ユニットを提供することを目的とする。【解決手段】ユニット本体２内が動力源室４と、熱交換器室５とに区画されている輸送用冷凍ユニット１において、動力源室４および熱交換器室５は、各々送風機８，１３を介して独立して外気が流通可能とされているとともに、両室４，５を仕切る仕切り壁３に連通口１７が設けられた構成とされ、連通口１７に、該連通口１７を開閉する開閉部材１８が開閉または着脱自在に設けられ、該開閉部材１８を開放または取り外し時、熱交換器室５側の送風機１３を介して動力源室４側に外気が流通可能とされている。【選択図】図１
2015117863.tif 000002
【特許請求の範囲】
【請求項１】
ユニット本体内が、動力源であるエンジンや誘導電動機および圧縮機が配設された動力源室と、庫外熱交換器および送風機が配設された熱交換器室とに区画されている輸送用冷凍ユニットにおいて、
前記動力源室および前記熱交換器室は、各々送風機を介して独立して外気が流通可能とされているとともに、前記両室を仕切る仕切り壁に連通口が設けられた構成とされ、
前記連通口に、該連通口を開閉する開閉部材が開閉または着脱自在に設けられ、該開閉部材を開放または取り外し時、前記熱交換器室側の送風機を介して前記動力源室側に外気が流通可能とされていることを特徴とする輸送用冷凍ユニット。
【請求項２】
前記開閉部材が、前記動力源室側の前記送風機に異常が発生時、自動もしくは手動により開放または取り外し可能とされていることを特徴とする請求項１に記載の輸送用冷凍ユニット。
【請求項３】
前記動力源室側の前記送風機および／または前記動力源室の外面を覆う外面パネルの少なくとも一部が、着脱自在に設けられ、前記動力源室側の前記送風機が異常時、取り外し可能とされていることを特徴とする請求項２に記載の輸送用冷凍ユニット。
【請求項４】
前記動力源室側の前記送風機が、前記エンジンのラジエータ用冷却ファンと兼用化されていることを特徴とする請求項１ないし３のいずれかに記載の輸送用冷凍ユニット。
【請求項５】
前記庫外熱交換器を蒸発器として機能させ、前記冷凍ユニットをヒートポンプ加熱運転する際、開閉部材が開放または取り外され、前記動力源室側で温められた外気が前記熱交換器室側に取り入れ可能とされていることを特徴とする請求項１に記載の輸送用冷凍ユニット。
【請求項６】
前記開閉部材が、前記仕切り壁の壁面に沿ってスライド可能に設置されていることを特徴とする請求項１ないし５のいずれかに記載の輸送用冷凍ユニット。
【発明の詳細な説明】
【技術分野】
【０００１】
本発明は、ユニット本体内が、動力源室と、熱交換器室とに区画されている輸送用冷凍ユニットに関するものである。
【背景技術】
【０００２】
冷凍ユニット自身が動力を発生するエンジン、誘導電動機等を備えている自己動力発生型の輸送用冷凍ユニットにおいては、動力源から放出される熱を外部に排出するため、動力源に対して送風機により外気を送風する空冷構造が採用されている。この空冷構造としては、冷凍ユニットにおいて不可欠のコンデンサあるいはエンジン用ラジエータ等の熱交換器に対する送風機を利用し、動力源を空冷する構成が低コストで実現できることから広く採用されている。
【０００３】
しかし、上記の如く空冷構造では、熱交換器に対して連通する外気取り入れ用の開口部および排気用の開口部を設ける必要があり、動力源のエンクローズが十分に行えず、低騒音化が難しかった。そこで、エンジンや誘導電動機等の動力源、および冷媒を圧縮する圧縮機等が配置される動力源室と、コンデンサや送風機が配置される熱交換器室とを仕切り板や防音パネル等により区画し、動力源や圧縮機等をエンクローズしたものが提供されている（特許文献１，２参照）。
【先行技術文献】
【特許文献】
【０００４】
【特許文献１】実開平２−２８０６８号公報
【特許文献２】特開２００１−１９１８３８号公報
【発明の概要】
【発明が解決しようとする課題】
【０００５】
上記特許文献１，２の如く、動力源や圧縮機をエンクローズすることにより、低騒音化することができるが、この場合、動力源等に対する空冷機能が損なわれることから、特許文献１に示すように、仕切り板に設けた通風孔に形状記憶合金製のダンパを設け、動力源室側の温度が上昇したときだけ、ダンパを開いて通風するようにしたものや、エンジンのラジエータ用ファンにより動力源室側を独立して空冷する方式が考えられている。
【０００６】
しかしながら、通風孔に形状記憶合金製のダンパを設けたものでは、通常運転時に空冷機能を十分に確保することができないことから、動力源の過熱や効率の低下が懸念される一方、ラジエータ用ファンにより動力源室を独立して空冷する方式としたものでは、ラジエータ用ファンが故障したとき、動力源に対する空冷機能が損なわれることから、冷凍ユニットが運転できなくなり、積荷を損傷してしまうという課題を有している。
【０００７】
本発明は、このような事情に鑑みてなされたものであって、ユニット本体内を動力源室と熱交換器室とに区画し、動力源室側のエンクローズ機能を強化して低騒音化を図ると同時に、各室を送風機により独立して冷却可能とし、かつ動力源室側の送風機が異常時にも各動力源を空冷して運転を継続できる輸送用冷凍ユニットを提供することを目的とする。
【課題を解決するための手段】
【０００８】
上記した課題を解決するために、本発明の輸送用冷凍ユニットは、以下の手段を採用している。
すなわち、本発明にかかる輸送用冷凍ユニットは、ユニット本体内が、動力源であるエンジンや誘導電動機および圧縮機が配設された動力源室と、庫外熱交換器および送風機が配設された熱交換器室とに区画されている輸送用冷凍ユニットにおいて、前記動力源室および前記熱交換器室は、各々送風機を介して独立して外気が流通可能とされているとともに、前記両室を仕切る仕切り壁に連通口が設けられた構成とされ、前記連通口に、該連通口を開閉する開閉部材が開閉または着脱自在に設けられ、該開閉部材を開放または取り外し時、前記熱交換器室側の送風機を介して前記動力源室側に外気が流通可能とされていることを特徴とする。
【０００９】
本発明によれば、ユニット本体内が動力源室と熱交換器室とに区画された輸送用冷凍ユニットにあって、動力源室および熱交換器室が各々送風機を介して独立して外気が流通可能とされているとともに、両室を仕切る仕切り壁に連通口が設けられた構成とされ、その連通口に、該連通口を開閉する開閉部材が開閉または着脱自在に設けられ、該開閉部材を開放または取り外し時、熱交換器室側の送風機を介して動力源室側に外気が流通可能とされているため、通常に運転時、開閉部材により動力源室と熱交換器室とを連通する連通口を閉鎖しておくことにより、動力源室側の遮音機能を高めることができる一方、動力源室側の送風機に異常が発生し、動力源であるエンジンや誘導電動機および圧縮機等を空冷することが困難になった場合、開閉部材を開放または取り外すことにより、熱交換器室側の送風機を介して動力源室側にも外気を流通することができる。従って、動力源室側のエンクローズ機能を強化し、輸送用冷凍ユニットを低騒音化することができるとともに、仮に動力源室側の冷却用送風機に異常が発生したとしても、そのまま冷凍ユニットの運転を継続することができ、積荷の損傷を防止して輸送の信頼性を確保することができる。
【００１０】
さらに、本発明の輸送用冷凍ユニットは、上記の輸送用冷凍ユニットにおいて、前記開閉部材が、前記動力源室側の前記送風機に異常が発生時、自動もしくは手動により開放または取り外し可能とされていることを特徴とする。
【００１１】
本発明によれば、開閉部材が、動力源室側の送風機に異常が発生時、自動もしくは手動により開放または取り外し可能とされているため、動力源室側の送風機に異常が発生したとしても、その異常を検知して自動もしくは手動で開閉部材を開放または取り外すことにより、熱交換器室側の送風機を介して動力源室側に対し外気を流通させることができ、従って、動力源室側の送風機が故障時にも、動力源室側に外気を流通させ、動力源や圧縮機を冷却して運転を継続することができ、積荷の損傷を防止することができる。
【００１２】
さらに、本発明の輸送用冷凍ユニットは、上記の輸送用冷凍ユニットにおいて、前記動力源室側の前記送風機および／または前記動力源室の外面を覆う外面パネルの少なくとも一部が、着脱自在に設けられ、前記動力源室側の前記送風機が異常時、取り外し可能とされていることを特徴とする。
【００１３】
本発明によれば、動力源室側の送風機および／または動力源室の外面を覆う外面パネルの少なくとも一部が、着脱自在に設けられ、動力源室側の送風機が異常時、取り外し可能とされているため、動力源室側の送風機に異常が発生時、その送風機および／または動力源室の外面を覆う外面パネルの一部を取り外すことにより、動力源室に対して外気を取り込み易くすることができる。従って、動力源室側の送風機が故障時にも、動力源室側に熱交換器室側の送風機を介して外気を流通させ、運転を継続して積荷の損傷を防止することができる。
【００１４】
さらに、本発明の輸送用冷凍ユニットは、上述のいずれかの輸送用冷凍ユニットにおいて、前記動力源室側の前記送風機が、前記エンジンのラジエータ用冷却ファンと兼用化されていることを特徴とする。
【００１５】
本発明によれば、動力源室側の送風機が、エンジンのラジエータ用冷却ファンと兼用化されているため、動力源室側の送風機を既存のラジエータ用冷却ファンと兼用化することにより、送風機を徒に増やすことなく、エンジンや誘導電動機等の動力源および圧縮機に対する空冷機能を確保することができる。従って、動力源や圧縮機等の空冷機能を維持しつつ、構成の複雑化を回避して動力源室側のエンクローズ機能を強化することができる。
【００１６】
また、本発明の輸送用冷凍ユニットは、上記の輸送用冷凍ユニットにおいて、前記庫外熱交換器を蒸発器として機能させ、前記冷凍ユニットをヒートポンプ加熱運転する際、開閉部材が開放または取り外され、前記動力源室側で温められた外気が前記熱交換器室側に取り入れ可能とされていることを特徴とする。
【００１７】
本発明によれば、庫外熱交換器を蒸発器として機能させ、冷凍ユニットをヒートポンプ加熱運転する際、開閉部材が開放または取り外され、動力源室側で温められた外気が熱交換器室側に取り入れ可能とされているため、冷凍ユニットをヒートポンプ加熱運転して積荷を加温する際、蒸発器として機能する庫外熱交換器に対して、動力源室側で温められた外気を供給することができる。従って、ヒートポンプ加熱運転時の加温能力を向上することができるとともに、庫外熱交換器に対する着霜を抑制することができる。
【００１８】
さらに、本発明の輸送用冷凍ユニットは、上述のいずれかの輸送用冷凍ユニットにおいて、前記開閉部材が、前記仕切り壁の壁面に沿ってスライド可能に設置されていることを特徴とする。
【００１９】
本発明によれば、開閉部材が、仕切り壁の壁面に沿ってスライド可能に設置されているため、既に多数の機器類が収容設置されていることから、開閉部材の設置スペースを十分に確保することができない動力源室内もしくは熱交換器室内において、開閉部材を仕切り壁の壁面に沿わせてスライド可能に設置することにより、最小限のスペースで連通口を自動もしくは手動で開閉できる開閉部材を設置することができる。従って、動力源室側もしくは熱交換器室側を拡張することなく、ユニット寸法を維持したまま、開閉部材を設置することができる。
【発明の効果】
【００２０】
本発明によると、通常に運転時、開閉部材により動力源室と熱交換器室とを連通する連通口を閉鎖しておくことにより、動力源室側の遮音機能を高めることができる一方、動力源室側の送風機に異常が発生し、動力源であるエンジンや誘導電動機および圧縮機等を空冷することが困難になった場合、開閉部材を開放または取り外すことにより、熱交換器室側の送風機を介して動力源室側にも外気を流通することができるため、動力源室側のエンクローズ機能を強化し、輸送用冷凍ユニットを低騒音化することができるとともに、仮に動力源室側の冷却用送風機に異常が発生したとしても、そのまま冷凍ユニットの運転を継続することができ、積荷の損傷を防止して輸送の信頼性を確保することができる。
【図面の簡単な説明】
【００２１】
【図１】本発明の第１実施形態に係る輸送用冷凍ユニットの正面図（Ａ）とその平面図（Ｂ）である。
【図２】図１に示す輸送用冷凍ユニットにおいて、開閉部材を取り外した状態の正面図（Ａ）とその平面図（Ｂ）である。
【図３】上記実施形態の変形例に係る輸送用冷凍ユニットの正面図（Ａ）とその平面図（Ｂ）である。
【図４】図３に示す輸送用冷凍ユニットにおいて、開閉部材を取り外した状態の正面図（Ａ）とその平面図（Ｂ）である。
【図５】本発明の他の実施形態に係る輸送用冷凍ユニットの開閉部材の設置構造を示す主要部の断面図である。
【図６】本発明の他の実施形態に係る輸送用冷凍ユニットの開閉部材の設置位置を示す正面図である。
【図７】本発明の他の実施形態に係る輸送用冷凍ユニットのラジエータ用ファンの構成説明図である。
【図８】本発明の他の実施形態に係る輸送用冷凍ユニットの外面パネルの着脱構造の説明図である。
【図９】本発明の他の実施形態に係る輸送用冷凍ユニットのヒートポンプ加熱運転時の状態説明図である。
【発明を実施するための形態】
【００２２】
以下に、本発明にかかる実施形態について、図面を参照して説明する。
［第１実施形態］
以下、本発明の第１実施形態について、図１ないし図４を用いて説明する。
図１には、本実施形態に係る輸送用冷凍ユニットの正面図（Ａ）とその平面図（Ｂ）が示され、図２には、その開閉部材を取り外した状態の正面図（Ａ）とその平面図（Ｂ）、図３には、その変形例に係る輸送用冷凍ユニットの正面図（Ａ）とその平面図（Ｂ）、図４には、その開閉部材を取り外した状態の正面図（Ａ）とその平面図（Ｂ）が示されている。
図１および図２において、輸送用冷凍ユニット１は、コンテナの前面に架装されるタイプのユニットとされており、正面視が略矩形状で奥行き方向（厚さ方向）が所定の薄型寸法とされたユニット本体２を備えている。
【００２３】
このユニット本体２内には、冷凍ユニット１の動力源となる機器類と、コンデンシングユニット側の構成機器類とが搭載されており、輸送用冷凍ユニット１は、このユニット本体２内に搭載されている動力源となる機器類、コンデンシングユニット側の構成機器類およびコンテナ内部に設置されているエバポレータユニット側の構成機器類とから構成されるものである。
【００２４】
ユニット本体２は、内部が仕切り壁３によって上下２室に区画されており、下部室が動力源室４、上部室が熱交換器室５とされている。下部の動力源室４内には、冷凍ユニット１の動力源となる専用のエンジン（サブエンジンとも云う。）や誘導電動機、更には冷媒を圧縮する圧縮機等の機器類（以下、本実施形態では、これらを総称して動力源６と称する場合もある。）、並びにエンジンの補機であるラジエータ７およびラジエータ用冷却ファン８等が配設されている。
【００２５】
動力源室４の外周は、外面パネル９でエンクローズされている。なお、この外面パネル９は、必要に応じて内面に吸音が張り付けられた吸音パネルとしてもよい。また、外面パネル９には、適所に外気を取り入れる外気取り入れ口１０と、それを排気する排気口１１が設けられ、動力源６を空冷するための外気が流通可能とされている。この外気は、ラジエータ用冷却ファン８を外気流通用の送風機として兼用化することにより、強制的に流通される構成とされている。
【００２６】
上部の熱交換器室５内には、冷却運転時に凝縮器、加温運転時に蒸発器として作用する庫外熱交換器１２と、この庫外熱交換器１２に対して外気を通風する送風機１３とが配設されている。ここでは、庫外熱交換器１２が左右に分割配置されており、その庫外熱交換器１２に対し送風機１３が通風方向の上流側に配置され、送風機１３からの吹き出し風を庫外熱交換器１２に押し込んで通風するプッシャー方式の例が示されている。なお、送風機１３は、１台のみが図示されているが、庫外熱交換器１２の大きさに応じて複数台設置してもよいことはもちろんである。
【００２７】
熱交換器室５の外周も、外面パネル１４によりエンクローズされており、その正面中央部に外気を吸込むための吸込みグリル１５が設けられ、吸込みグリル１５を挟んでその両側部に吹出しグリル１６が設けられた構成とされている。この熱交換器室５には、送風機１３を介して吸込みグリル１５から外気が吸込まれ、庫外熱交換器１２を通風後、吹出しグリル１６から外部に排気されることにより、外気が強制流通される構成とされている。
【００２８】
さらに、本実施形態では、ユニット本体２の内部を動力源室４と熱交換器室５とに区画している仕切り壁３の中央部位に、動力源室４と熱交換器室５間を連通する連通口１７が設けられるとともに、その連通口１７に対して、該連通口１７を開閉する開閉部材１８が開閉または着脱自在に設けられた構成とされている。
【００２９】
上記連通口１７は、通常の冷却運転時は閉鎖状態とされており、後述するようにラジエータ用冷却ファン８が異常時（故障時）や、もしくは低外気温下の加温運転時に、互いに区画されている動力源室４と熱交換器室５間において外気を吸排可能とするためのものであり、熱交換器室５に設けられている送風機１３を介して、動力源室４内において動力源６を空冷するための外気を流通可能な大きさの開口とされている。
【００３０】
また、連通口１７を開閉する開閉部材１８は、メンテナンスの頻度が高い動力源室４側に設けられており、ボルト等を介して着脱自在とされるか、またはアクチュエータを介して自動でもしくは手動によって開閉自在とされている。開閉部材１８をアクチュエータによって自動で開閉する場合、異常検知信号や加温運転信号に基づいてアクチュエータを駆動し、開閉部材１８を開放するようにすればよい。
【００３１】
なお、上記した図１、図２に示す実施形態は、庫外熱交換器１２に対して送風機１３を通風方向の上流側に配置したプッシャー方式についてのものであるが、図３、図４に示すように、庫外熱交換器１２に対して送風機１３を通風方向の下流側に配置し、送風機１３による吸引風を庫外熱交換器１２に通風するプラー方式の構成とした冷凍ユニット１にも同様に適用できるものである。
【００３２】
この場合、連通口１７を通しての外気の吸排は、プッシャー方式では、図２に矢印で示すように、連通口１７を通して熱交換器室５側から動力源室４側に外気が流通されるのに対し、プラー方式では、図４に矢印で示すように、逆に連通口１７を通して動力源室４側から熱交換器室５側に外気が流通されることになる。また、庫外熱交換器１２は、吸込みグリル１５に対向して配置され、その両側の吹出しグリル１６に面して送風機１３が分散配置されたレイアウトとされている。
【００３３】
以上に説明の構成により、本実施形態によれば、以下の作用効果を奏する。
輸送用冷凍ユニット１において、動力源６が配設されている動力源室４と、庫外熱交換器１２および送風機１３が配設されている熱交換器室５とが仕切り壁３により区画されており、動力源室４は、ラジエータ用冷却ファン８を兼用化することにより、独立して外気が流通可能とされ、また、熱交換器室５は、送風機１３を介して外気が庫外熱交換器１２を通して流通可能とされている。
【００３４】
このため、通常の冷却運転時は、熱交換器室５側において、送風機１３を介して流通される外気と庫外熱交換器１２内を流通する冷媒とが熱交換され、冷凍サイクルが機能されることにより、コンテナ内を冷却することができる。また、動力源室４においては、ラジエータ用冷却ファン８を介して流通される外気により、動力源６であるエンジン、誘導電動機、圧縮機並びにエンジン用のラジエータ７等を空冷して運転することができる。
【００３５】
一方、通常の冷却運転時、仕切り壁３に設けられている連通口１７は、図１（Ａ）および図３（Ａ）に示されるように、開閉部材１８により閉鎖されており、動力源室４が仕切り壁３および外面パネル９によってエンクローズされていることから、騒音源である動力源６からの発生音を遮音し、外部への放出を最小限にして輸送用冷凍ユニット１を低騒音化することができる。
【００３６】
また、動力源室４側において、外気を流通させ、動力源６を空冷する送風機であるラジエータ用冷却ファン８に異常が発生し、運転ができなくなった場合、そのままでは、冷凍ユニット１の運転を継続することができなくなるが、本実施形態では、仕切り壁３に開閉部材１８を備えた連通口１７を設け、その開閉部材１８を開閉または着脱自在としているため、ラジエータ用冷却ファン８が異常停止しても、それを検知して開閉部材１８を手動または自動により取り外すかまたは開くことにより、図２または図４に示すように、熱交換器室５側の送風機１３を介して動力源室４内に外気を流通させることができる。
【００３７】
つまり、ラジエータ用冷却ファン８が異常停止しても、熱交換器室５側の送風機１３が回転しておれば、送風機１３から吹出された外気の一部が、図２に示されるように、連通口１７を経て動力源室４内に吹出され、動力源室４内を流通して外部に排気されることになるため、この外気流により動力源６を空冷することができる。同様に、図４に示すプラー方式の場合、熱交換器室５側の送風機１３の吸引作用により、連通口１７を経て動力源室４側の空気を吸引することにより、動力源室４側において外気を流通させ、動力源６を空冷することができる。
【００３８】
従って、本実施形態によると、動力源室４側の送風機であるラジエータ用冷却ファン８が故障等で異常停止した場合でも、動力源６に対する空冷機能を確保して冷却運転を継続することができ、積荷の損傷を防止して輸送の信頼性を確保することができる。また、動力源室４と熱交換器室５とを区画して動力源室４側のエンクローズ機能を強化することにより、輸送用冷凍ユニット１の低騒音化を図ることができる。
【００３９】
また、開閉部材１８は、動力源室４側の送風機であるラジエータ用冷却ファン８に異常が発生時、自動もしくは手動により開放または取り外し可能とされているため、動力源室４側の空冷用の送風機（冷却ファン８）に異常が発生時したとしても、その異常を検知して自動もしくは手動で開閉部材１８を開放または取り外すことにより、熱交換器室５側の送風機１３を介して動力源室４側に対し外気を流通させることができ、従って、動力源室４側の送風機（冷却ファン８）が故障時にも、動力源室４側に外気を流通させ、動力源６や圧縮機を冷却して運転を継続することができ、積荷の損傷を防止することができる。
【００４０】
さらに、本実施形態では、動力源室４側の送風機が、エンジンのラジエータ用冷却ファン８と兼用化されている。このため、動力源室４側の送風機を既存のラジエータ用冷却ファン８と兼用化することにより、送風機を徒に増やすことなく、エンジンや誘導電動機等の動力源６および圧縮機に対する空冷機能を確保することができる。これによって、動力源６や圧縮機等の空冷機能を維持しつつ、構成の複雑化を回避して動力源室４側のエンクローズ機能を強化することができる。
【００４１】
［他の実施形態］
次に、本発明の他の実施形態について、図５ないし図９を用いて説明する。
（１）上記第１実施形態では、開閉部材１８が、動力源室４側において、仕切り壁３に対してボルト等により着脱自在またはアクチュエータ等を介して開閉自在に設けられているが、図５に示すように、仕切り壁３にガイド溝１９を設け、このガイド溝１９に対して平板状の開閉部材１８Ａをスライド自在に嵌合し、手動またはアクチュエータにより自動で開閉可能としてもよい。
【００４２】
このように、開閉部材１８Ａを仕切り壁３にガイド溝１９を設け、その壁面に沿ってスライド可能に設置することにより、既に多数の機器類が収容設置されており、開閉部材１８Ａ用の設置スペースを十分に確保することができない動力源室４内もしくは熱交換器室５内において、最小限のスペースで連通口１７を自動もしくは手動で開閉できる開閉部材１８Ａを設置することができる。従って、動力源室４側もしくは熱交換器室５側を拡張することなく、ユニット寸法を維持したまま、開閉部材１８Ａを設置することができる。
【００４３】
（２）上記第１実施形態では、開閉部材１８が、メンテナンスの頻度が高く、着脱等がし易いと考えられる動力源室４側に設けられているが、動力源室４側に設けることを必須とするものではなく、設置スペース等を考慮して、図６に示されるように、熱交換器室５側に開閉部材１８Ｂを設置してもよい。これによっても、第１実施形態と同様の効果を期待することができる。特に、スペース的に動力源室４側に比べて熱交換器室５側の方に余裕がある場合は、開閉部材１８Ｂを熱交換器室５側に設置し、アクチュエータにより自動開閉できるようにすることが好ましい。
【００４４】
（３）上記第１実施形態では、動力源室４側の送風機であるラジエータ用冷却ファン８に異常が発生時、開閉部材１８を取り外しまたは開くことにより、熱交換器室５側の送風機１３を介して動力源室４側で外気を流通させるようにしているが、この際、図７に示されるように、ラジエータ用冷却ファン８Ａを着脱自在に構成しておき、開閉部材１８を取り外しまたは開くと同時に、ラジエータ用冷却ファン８Ａを取り外すようにしてもよい。
【００４５】
このように、ラジエータ用冷却ファン８Ａを着脱自在とし、該冷却ファン８Ａが異常発生時、それを取り外すことにより、熱交換器室５側の送風機１３を介して動力源室４側に外気を取り込み易くすることができるため、動力源６に対する空冷機能を維持して運転を継続し、積荷の損傷を防止することができる。
【００４６】
（４）上記（３）のように、異常が発生（故障）したラジエータ用冷却ファン８Ａを取り外すだけでなく、図８に示されるように、動力源室４の外周をエンクローズしている外面パネル９の一部である左右の側部パネル９Ａ，９Ｂを着脱自在に構成しておき、開閉部材１８を取り外しまたは開くと同時に、左右の側部パネル９Ａ，９Ｂを取り外すようにしてもよい。なお、この場合、ラジエータ用冷却ファン８Ａを同時に取り外してもよい。
【００４７】
このように、動力源室４側の送風機であるラジエータ用冷却ファン８Ａに異常が発生した時、図８（Ｂ）に示すように、動力源室４の外周をエンクローズしている外面パネル９の一部である左右の側部パネル９Ａ，９Ｂを取り外すことにより、熱交換器室５側の送風機１３を介して動力源室４側に外気をより取り込み易くすることができる。従って、動力源６に対する空冷機能を維持して運転を継続し、積荷の損傷を防止することができる。
【００４８】
（５）以上の実施形態では、輸送用冷凍ユニット１を冷却運転している時、動力源室４側の送風機であるラジエータ用冷却ファン８に異常が発生した場合の対応として、開閉部材１８を取り外しまたは開き、熱交換器室５側の送風機１３を介して、動力源室４側に外気を吸・排し、動力源６を空冷する例について説明したが、仕切り壁３に対して連通口１７を設け、その連通口１７に開閉部材１８を設置したことにより、輸送用冷凍ユニット１をヒートポンプ加熱運転する際、動力源室４内で動力源６を空冷することで温度上昇した外気の熱を、ヒートポンプ加熱運転に有効利用して加熱能力を向上することができる。
【００４９】
近年、輸送用冷凍ユニット１でも、積荷を加温して輸送する際、ヒートポンプサイクルで加熱運転するようにしたものが見られる。この場合、庫内側の熱交換器が凝縮器、庫外熱交換器１２が蒸発器とされ、外気から吸熱して運転されるため、外気温が低いと、加熱能力が低下したり、あるいは庫外熱交換器１２に着霜したりする等の問題が生ずる。
本実施形態では、連通口１７および開閉部材１８を利用し、図９に示すように、ヒートポンプ加熱運転時、開閉部材１８を取り外しまたは開放することにより、動力源室４側で動力源６を空冷することで温度上昇した外気を熱交換器室５側に取り込み、庫外熱交換器１２に通風するようにしている。
【００５０】
これにより、ヒートポンプ加熱運転時、蒸発器として機能する庫外熱交換器１２で温度上昇した外気から吸熱して熱を汲み上げ、それを凝縮器として機能する庫内側熱交換器から庫内に放熱して積荷を加温することができる。従って、輸送用冷凍ユニット１をヒートポンプ加熱運転する際、連通口１７および開閉部材１８を有効に利用して、加温能力を向上することができるとともに、庫外熱交換器１２に対する着霜を抑制することができる。
【００５１】
なお、本発明は、上記実施形態にかかる発明に限定されるものではなく、その要旨を逸脱しない範囲において、適宜変形が可能である。例えば、上記実施形態では、コンテナの前面に架装されるタイプの輸送用冷凍ユニット１の例について説明したが、他の動力発生源を搭載した一体型の輸送用冷凍ユニットやアンダーマウントタイプの輸送用冷凍ユニットにも同様に適用できることは云うまでもない。
【００５２】
また、上記実施形態では、送風機としてプロペラファンを用いたものを例示したが、これに限定されるものではなく、他のファンを用いてもよいことはもちろんであり、他の構成機器類についても同様である。
【符号の説明】
【００５３】
１  輸送用冷凍ユニット
２  ユニット本体
３  仕切り壁
４  動力源室
５  熱交換器室
６  動力源（エンジン、誘導電動機、圧縮機）
８，８Ａ  ラジエータ用冷却ファン（動力源室側送風機）
９  外面パネル
９Ａ，９Ｂ  左右の側部パネル
１２  庫外熱交換器
１３  送風機
１７  連通口
１８，１８Ａ，１８Ｂ  開閉部材
１９  ガイド溝
【図１】
2015117863.tif 000003
【図２】
2015117863.tif 000004
【図３】
2015117863.tif 000005
【図４】
2015117863.tif 000006
【図５】
2015117863.tif 000007
【図６】
2015117863.tif 000008
【図７】
2015117863.tif 000009
【図８】
2015117863.tif 000010
【図９】
2015117863.tif 000011